(57)【要約】      （修正有）【課題】オフセット校正に起因する画素値のずれがＲＯＩ情報に反映されて医師の的確な画像診断をが妨げられる懸念を軽減する医療画像支援装置を提供する。【解決手段】検像技師用のクライアント端末８０は、検像作業が終了すると、医用画像が収められたＤＩＣＯＭファイルにオフセット校正情報を追記し、その後にＤＩＣＯＭファイルをＰＡＣＳ７０に保存する。読影医用のクライアント端末９０は、ＰＡＣＳ７０からＤＩＣＯＭファイルを取得し、取得したＤＩＣＯＭファイルに収められた医用画像の画素値を測定してＲＯＩ情報を作成する。クライアント端末９０はまた、取得したＤＩＣＯＭファイルに収められた医用画像を同じＤＩＣＯＭファイル内のオフセット校正情報に従って校正し、校正後の医用画像をサブモニタに表示する。ＲＯＩ情報は、表示された医用画像に多重される。【選択図】図１
2019000444.tif 000002
【特許請求の範囲】
【請求項１】
オフセット校正情報が割り当てられた医用画像を取得する医用画像取得手段、
前記医用画像取得手段によって取得された医用画像の画素値を測定して支援情報を作成する支援情報作成手段、
前記医用画像取得手段によって取得された医用画像を前記オフセット校正情報に従って校正した状態で表示する医用画像表示手段、および
前記支援情報作成手段によって作成された支援情報を前記医用画像表示手段の処理に関連して表示する支援情報表示手段を備える、医療診断支援装置。
【請求項２】
前記オフセット校正情報は少なくとも角度情報を含む、請求項１記載の医療診断支援装置。
【請求項３】
前記支援情報は前記画素値を測定して得られた測定結果を含む、請求項１または２記載の医療診断支援装置。
【請求項４】
前記医用画像および前記オフセット校正情報は共通の画像ファイルに収められ、
前記医用画像取得手段は前記画像ファイルを取得する、請求項１ないし３のいずれかに記載の医療診断支援装置。
【請求項５】
前記支援情報作成手段によって作成された支援情報は関心領域をガイドするガイド画像を含み、
前記支援情報表示手段は前記ガイド画像を前記オフセット校正情報に従って校正するガイド画像校正手段を含む、請求項１ないし４のいずれかに記載の医療診断支援装置。
【請求項６】
医療診断支援装置によって実行される医療診断支援方法であって、
オフセット校正情報が割り当てられた医用画像を取得する医用画像取得ステップ、
前記医用画像取得ステップによって取得された医用画像の画素値を測定して支援情報を作成する支援情報作成ステップ、
前記医用画像取得ステップによって取得された医用画像を前記オフセット校正情報に従って校正した状態で表示する医用画像表示ステップ、および
前記支援情報作成ステップによって作成された支援情報を前記医用画像表示ステップの処理に関連して表示する支援情報表示ステップを備える、医療診断支援方法。
【請求項７】
医療診断支援装置のプロセッサに、
オフセット校正情報が割り当てられた医用画像を取得する医用画像取得ステップ、
前記医用画像取得ステップによって取得された医用画像の画素値を測定して支援情報を作成する支援情報作成ステップ、
前記医用画像取得ステップによって取得された医用画像を前記オフセット校正情報に従って校正した状態で表示する医用画像表示ステップ、および
前記支援情報作成ステップによって作成された支援情報を前記医用画像表示ステップの処理に関連して表示する支援情報表示ステップを実行させるための、医療診断支援プログラム。
【請求項８】
モダリティから出力された医用画像を対象とする検像作業を支援する検像支援装置と前記検像作業を経た医用画像を対象とする診断を支援する医療診断支援装置とを備える医療診断支援システムであって、
前記検像支援装置は、
前記検像作業の後に前記医用画像を保存する医用画像保存手段、および
前記医用画像保存手段の保存対象にオフセット校正情報を割り当てるオフセット校正情報割り当て手段を備え、
前記医療診断支援装置は、
前記医用画像保存手段によって保存された医用画像を取得する医用画像取得手段、
前記医用画像取得手段によって取得された医用画像の画素値を測定して支援情報を作成する支援情報作成手段、
前記医用画像取得手段によって取得された医用画像を前記オフセット校正情報割り当て手段によって割り当てられたオフセット校正情報に従って校正した状態で表示する医用画像表示手段、および
前記支援情報作成手段によって作成された支援情報を前記医用画像表示手段の処理に関連して表示する支援情報表示手段を備える、医療診断支援システム。
【請求項９】
前記オフセット校正情報は少なくとも角度情報を含む、請求項８記載の医療診断支援システム。
【請求項１０】
前記支援情報は前記画素値を測定して得られた測定結果を含む、請求項８または９記載の医療診断支援システム。
【請求項１１】
前記医用画像保存手段は前記医用画像を収めた画像ファイルを保存し、
前記オフセット校正情報割り当て手段は前記オフセット情報を前記画像ファイルに追加的に収め、
前記医用画像取得手段は前記画像ファイルを取得する、請求項８ないし１０のいずれかに記載の医療診断支援システム。
【請求項１２】
前記支援情報作成手段によって作成された支援情報は関心領域をガイドするガイド画像を含み、
前記支援情報表示手段は前記ガイド画像を前記オフセット校正情報に従って校正するガイド画像校正手段を含む、請求項８ないし１１のいずれかに記載の医療診断支援装置。
【請求項１３】
モダリティから出力された医用画像を対象とする検像作業を支援する検像支援装置によって実行される検像支援方法と前記検像作業を経た医用画像を対象とする診断を支援する医療診断支援装置によって実行される医療診断支援方法とを備える複合医療診断支援方法であって、
前記検像支援方法は、
前記検像作業の後に前記医用画像を保存する医用画像保存ステップ、および
前記医用画像保存ステップの保存対象にオフセット校正情報を割り当てるオフセット校正情報割り当てステップを備え、
前記医療診断支援方法は、
前記医用画像保存ステップによって保存された医用画像を取得する医用画像取得ステップ、
前記医用画像取得ステップによって取得された医用画像の画素値を測定して支援情報を作成する支援情報作成ステップ、
前記医用画像取得ステップによって取得された医用画像を前記オフセット校正情報割り当てステップによって割り当てられたオフセット校正情報に従って校正した状態で表示する医用画像表示ステップ、および
前記支援情報作成ステップによって作成された支援情報を前記医用画像表示ステップの処理に関連して表示する支援情報表示ステップを備える、複合医療診断支援方法。
【請求項１４】
モダリティから出力された医用画像を対象とする検像作業を支援する検像支援装置に提供される検像支援プログラムと前記検像作業を経た医用画像を対象とする診断を支援する医療診断支援装置に提供される医療診断支援プログラムとを備える複合医療診断支援プログラムであって、
前記検像支援プログラムは、
前記検像作業の後に前記医用画像を保存する医用画像保存ステップ、および
前記医用画像保存ステップの保存対象にオフセット校正情報を割り当てるオフセット校正情報割り当てステップを前記検像支援装置のプロセッサに実行させるためのプログラムであり、
前記医療診断支援プログラムは、
前記医用画像保存ステップによって保存された医用画像を取得する医用画像取得ステップ、
前記医用画像取得ステップによって取得された医用画像の画素値を測定して支援情報を作成する支援情報作成ステップ、
前記医用画像取得ステップによって取得された医用画像を前記オフセット校正情報割り当てステップによって割り当てられたオフセット校正情報に従って校正した状態で表示する医用画像表示ステップ、および
前記支援情報作成ステップによって作成された支援情報を前記医用画像表示ステップの処理に関連して表示する支援情報表示ステップを前記医療診断支援装置のプロセッサに実行させるためのプログラムである、複合医療診断支援プログラム。
【発明の詳細な説明】
【技術分野】
【０００１】
この発明は、医療診断支援装置、医療診断支援方法および医療診断支援プログラムに関し、特に、検像作業を経た医用画像を対象とする診断を支援する、医療診断支援装置、医療診断支援方法および医療診断支援プログラムに関する。
【０００２】
この発明はまた、医療診断支援システムに関し、特に、モダリティから出力された医用画像を対象とする検像作業を支援する検像支援装置と、検像作業を経た医用画像を対象とする診断を支援する医療診断支援装置とを備える、医療診断支援システムに関する。
【０００３】
この発明はさらに、複合医療診断支援方法に関し、特に、上述の検像支援装置によって実行される検像支援方法と、上述の医療診断支援装置によって実行される医療診断支援方法とを備える、複合医療診断支援方法に関する。
【０００４】
この発明はまた、複合医療診断支援プログラムに関し、特に、上述の検像支援装置に提供される検像支援プログラムと、上述の医療診断支援装置に提供される医療診断支援プログラムとを備える、複合医療診断支援プログラムに関する。
【背景技術】
【０００５】
ＣＴ装置，ＭＲＩ装置，一般撮影装置等で撮影された医用画像は、ＰＡＣＳへ送信される前に、検像者によって検像される。医用画像が医師の診断に適してないと検像者によって判断されると、検像者は、検像端末上で医用画像に修正を施し、修正後の医用画像をＰＡＣＳに送信する。
【０００６】
より詳しくは、医用画像に現れた対象物の角度が医師の診断に適さないと判断した場合、検像者は、検像端末にて対象物を回転させる。また、回転後の対象物の中心位置が医用画像の中心位置からずれていると判断した場合、検像者は、検像端末にて対象物の中心位置を医用画像の中心位置へ移動させる。ＰＡＣＳには、こうして修正された医用画像が送信される。
【先行技術文献】
【特許文献】
【０００７】
【特許文献１】特開２０１０−８２２９６号公報
【発明の概要】
【発明が解決しようとする課題】
【０００８】
しかし、対象物を回転させた医用画像を構成する画素の値とオリジナルの医用画像を構成する画素の値との間には、ずれが生じる可能性がある。このようなずれは、画素値の正確な計測ひいては医師の的確な診断を妨げる。
【０００９】
なお、特許文献１は、医用画像を修正するための検像者の負担を軽減するべく、医用画像の縦横，左右および前後逆転の有無を判別して、医用画像の適正な表示を実現しようとしている。しかし、医用画像の修正によって画素値にずれが生じる可能性は、特許文献１においても否定できない。
【００１０】
それゆえに、この発明の主たる目的は、画素値のずれに起因して医師の的確な画像診断が妨げられる懸念を軽減することができる、医療診断支援装置、医療診断支援方法、医療診断支援プログラム、医療診断支援システム、複合医療診断支援方法および複合医療診断支援プログラムを提供することである。
【課題を解決するための手段】
【００１１】
この発明に係る医療診断支援装置(90：実施例で相当する参照符号。以下同じ)は、オフセット校正情報が割り当てられた医用画像を取得する医用画像取得手段(S39)、医用画像取得手段によって取得された医用画像の画素値を測定して支援情報を作成する支援情報作成手段(S43)、医用画像取得手段によって取得された医用画像をオフセット校正情報に従って校正した状態で表示する医用画像表示手段(S41, S51)、および支援情報作成手段によって作成された支援情報を医用画像表示手段の処理に関連して表示する支援情報表示手段(S45, S53)を備える。
【００１２】
好ましくは、オフセット校正情報は少なくとも角度情報を含む。
【００１３】
好ましくは、支援情報は画素値を測定して得られた測定結果を含む。
【００１４】
好ましくは、医用画像およびオフセット校正情報は共通の画像ファイルに収められ、医用画像取得手段は画像ファイルを取得する。
【００１５】
好ましくは、支援情報作成手段によって作成された支援情報は関心領域をガイドするガイド画像を含み、支援情報表示手段はガイド画像をオフセット校正情報に従って校正するガイド画像校正手段(S53)を含む。
【００１６】
この発明に係る医療診断支援方法は、医療診断支援装置(90)によって実行される医療診断支援方法であって、オフセット校正情報が割り当てられた医用画像を取得する医用画像取得ステップ(S39)、医用画像取得ステップによって取得された医用画像の画素値を測定して支援情報を作成する支援情報作成ステップ(S43)、医用画像取得ステップによって取得された医用画像をオフセット校正情報に従って校正した状態で表示する医用画像表示ステップ(S41, S51)、および支援情報作成ステップによって作成された支援情報を医用画像表示ステップの処理に関連して表示する支援情報表示ステップ(S45, S53)を備える。
【００１７】
この発明に係る医療診断支援プログラムは、医療診断支援装置(90)のプロセッサ(90pr)に、オフセット校正情報が割り当てられた医用画像を取得する医用画像取得ステップ(S39)、医用画像取得ステップによって取得された医用画像の画素値を測定して支援情報を作成する支援情報作成ステップ(S43)、医用画像取得ステップによって取得された医用画像をオフセット校正情報に従って校正した状態で表示する医用画像表示ステップ(S41, S51)、および支援情報作成ステップによって作成された支援情報を医用画像表示ステップの処理に関連して表示する支援情報表示ステップ(S45, S53)を実行させるための、医療診断支援プログラムである。
【００１８】
この発明に係る医療診断支援システムは、モダリティ(60)から出力された医用画像を対象とする検像作業を支援する検像支援装置(80)と検像作業を経た医用画像を対象とする診断を支援する医療診断支援装置(90)とを備える医療診断支援システムであって、検像支援装置は、検像作業の後に医用画像を保存する医用画像保存手段(S27)、および医用画像保存手段の保存対象にオフセット校正情報を割り当てるオフセット校正情報割り当て手段(S25)を備え、医療診断支援装置は、医用画像保存手段によって保存された医用画像を取得する医用画像取得手段(S39)、医用画像取得手段によって取得された医用画像の画素値を測定して支援情報を作成する支援情報作成手段(S43)、医用画像取得手段によって取得された医用画像をオフセット校正情報割り当て手段によって割り当てられたオフセット校正情報に従って校正した状態で表示する医用画像表示手段(S41, S51)、および支援情報作成手段によって作成された支援情報を医用画像表示手段の処理に関連して表示する支援情報表示手段(S45, S53)を備える。
【００１９】
好ましくは、オフセット校正情報は少なくとも角度情報を含む。
【００２０】
好ましくは、支援情報は画素値を測定して得られた測定結果を含む。
【００２１】
好ましくは、医用画像保存手段は医用画像を収めた画像ファイルを保存し、オフセット校正情報割り当て手段はオフセット情報を画像ファイルに追加的に収め、医用画像取得手段は画像ファイルを取得する。
【００２２】
好ましくは、支援情報作成手段によって作成された支援情報は関心領域をガイドするガイド画像を含み、支援情報表示手段はガイド画像をオフセット校正情報に従って校正するガイド画像校正手段(S53)を含む。
【００２３】
この発明に係る複合医療診断支援方法は、モダリティ(60)から出力された医用画像を対象とする検像作業を支援する検像支援装置(80)によって実行される検像支援方法と検像作業を経た医用画像を対象とする診断を支援する医療診断支援装置(90)によって実行される医療診断支援方法とを備える複合医療診断支援方法であって、検像支援方法は、検像作業の後に医用画像を保存する医用画像保存ステップ(S27)、および医用画像保存ステップの保存対象にオフセット校正情報を割り当てるオフセット校正情報割り当てステップ(S25)を備え、医療診断支援方法は、医用画像保存ステップによって保存された医用画像を取得する医用画像取得ステップ(S39)、医用画像取得ステップによって取得された医用画像の画素値を測定して支援情報を作成する支援情報作成ステップ(S43)、医用画像取得ステップによって取得された医用画像をオフセット校正情報割り当てステップによって割り当てられたオフセット校正情報に従って校正した状態で表示する医用画像表示ステップ(S41, S51)、および支援情報作成ステップによって作成された支援情報を医用画像表示ステップの処理に関連して表示する支援情報表示ステップ(S45, S53)を備える。
【００２４】
この発明に係る複合医療診断支援プログラムは、モダリティ(60)から出力された医用画像を対象とする検像作業を支援する検像支援装置(80)に提供される検像支援プログラムと検像作業を経た医用画像を対象とする診断を支援する医療診断支援装置(90)に提供される医療診断支援プログラムとを備える複合医療診断支援プログラムであって、検像支援プログラムは、検像作業の後に医用画像を保存する医用画像保存ステップ(S27)、および医用画像保存ステップの保存対象にオフセット校正情報を割り当てるオフセット校正情報割り当てステップ(S25)を検像支援装置のプロセッサ(80pr)に実行させるためのプログラムであり、医療診断支援プログラムは、医用画像保存ステップによって保存された医用画像を取得する医用画像取得ステップ(S39)、医用画像取得ステップによって取得された医用画像の画素値を測定して支援情報を作成する支援情報作成ステップ(S43)、医用画像取得ステップによって取得された医用画像をオフセット校正情報割り当てステップによって割り当てられたオフセット校正情報に従って校正した状態で表示する医用画像表示ステップ(S41, S51)、および支援情報作成ステップによって作成された支援情報を医用画像表示ステップの処理に関連して表示する支援情報表示ステップ(S45, S53)を医療診断支援装置のプロセッサ(90pr)に実行させるためのプログラムである。
【発明の効果】
【００２５】
支援情報は、オフセット校正が施される前の医用画像の画素値を測定して作成され、オフセット校正が施された後の医用画像の表示に関連して表示される。この結果、オフセット校正に起因する画素値のずれが支援情報に反映されて医師の的確な画像診断が妨げられる懸念を軽減することができる。
【００２６】
この発明の上述の目的，その他の目的，特徴および利点は、図面を参照して行う以下の実施例の詳細な説明から一層明らかとなろう。
【図面の簡単な説明】
【００２７】
【図１】この実施例に適用される医療診断支援システムの構成の一例を示すブロック図である。
【図２】図１に示す検像技師用のクライアント端末の構成の一例を示すブロック図である。
【図３】（Ａ）はＤＩＣＯＭファイルの構造の一例を示す図解図であり、（Ｂ）はＤＩＣＯＭファイルの構造の他の一例を示す図解図である。
【図４】図１に示す読影医用のクライアント端末の構成の一例を示すブロック図である。
【図５】図２に示すメインモニタに表示される基本画面の一例を示す図解図である。
【図６】図２に示すサブモニタに表示される検像画面の一例を示す図解図である。
【図７】図２に示すサブモニタに表示される検像画面の他の一例を示す図解図である。
【図８】検像画面に現れた断層画像の位置を移動させる動作の一例を示す図解図である。
【図９】図２に示すサブモニタに表示される検像画面のその他の一例を示す図解図である。
【図１０】図２に示すメインモニタに表示される基本画面の他の一例を示す図解図である。
【図１１】図２に示すＣＰＵの動作の一部を示すフロー図である。
【図１２】図２に示すＣＰＵの動作の他の一部を示すフロー図である。
【図１３】図４に示すメインモニタに表示される基本画面の一例を示す図解図である。
【図１４】図４に示すメインモニタに表示される読影レポート画面の一例を示す図解図である。
【図１５】図４に示すサブモニタに表示される読影画面の一例を示す図解図である。
【図１６】図４に示すメインモニタに表示される読影レポート画面の他の一例を示す図解図である。
【図１７】図４に示すＣＰＵの動作の一部を示すフロー図である。
【図１８】図４に示すＣＰＵの動作の他の一部を示すフロー図である。
【図１９】図４に示すＣＰＵの動作のその他の一部を示すフロー図である。
【発明を実施するための形態】
【００２８】
図１を参照して、この実施例の医療診断支援システムは、院内ＬＡＮ１００によって互いに接続された主治医用のクライアント端末１０，ＨＩＳサーバ２０，撮影技師用のクライアント端末３０，ＲＩＳ／検像サーバ４０，モダリティコンソール５０，ＰＡＣＳ７０，検像技師用のクライアント端末（検像支援装置）８０および読影医用のクライアント端末（医療診断支援装置）９０を備える。ＣＴ装置またはＭＲＩ装置のようなモダリティ６０は、モダリティコンソール５０に接続される。
【００２９】
主治医がクライアント端末１０を操作して検査オーダを作成すると、ＨＩＳサーバ２０は、作成された検査オーダを院内ＬＡＮ１００を介してＲＩＳ／検像サーバ４０に通知する。撮影技師は、クライアント端末３０を操作してＲＩＳ／検像サーバ４０から検査オーダを取得したとき、検査を受ける患者をモダリティ６０に配置し、モダリティコンソール５０を操作して患者の検査部位を撮影する。この結果、検査部位の断層画像と背景画像とによって各々が構成された複数の医用画像が得られる。
【００３０】
モダリティコンソール５０は、複数の医用画像を収めたＤＩＣＯＭファイルを作成し、作成されたＤＩＣＯＭファイルを院内ＬＡＮ１００を介してＲＩＳ／検像サーバ４０に転送する。転送されるＤＩＣＯＭファイルには、複数の医用画像の他に、ファイル情報，患者情報，検査コードなどが収められる（図３（Ａ）参照）。
【００３１】
検像技師は、クライアント端末８０を操作して、ＲＩＳ／検像サーバ４０に取り込まれたＤＩＣＯＭファイルを対象とする検像を行う。検像の結果、読影医の診断に適すると判断されたＤＩＣＯＭファイルは、院内ＬＡＮ１００を介してＰＡＣＳ７０に保存される。
【００３２】
読影医は、ＰＡＣＳ７０からＤＩＣＯＭファイルを取得し、取得したＤＩＣＯＭファイルに収められた医用画像を参照して読影レポートを作成する。作成された読影レポートは、院内ＬＡＮ１００を介してＨＩＳサーバ２０に保存される。
【００３３】
主治医は、クライアント端末１０を操作して、読影医によって作成された読影レポートをＨＩＳサーバ２０から取得し、読影レポートに関連するＤＩＣＯＭファイルをＰＡＣＳ７０から取得する。こうして取得された読影レポートおよびＤＩＣＯＭファイルは、主治医の診断のために参照される。
【００３４】
検像技師用のクライアント端末８０は、図２に示すように構成される。図２によれば、バスＢＳ１には、通信Ｉ／Ｆ８０ｃｍ，ＣＰＵ８０ｐｒ，キーボード／マウス８０ｋｍ，メインモニタ８０ｍｔ１，サブモニタ８０ｍｔ２，ＤＲＡＭ８０ｍｍおよびＨＤＤ８０ｈｄが接続される。院内ＬＡＮ１００とは、通信Ｉ／Ｆ８０ｃｍを介して接続される。
【００３５】
読影医用のクライアント端末９０は、図４に示すように構成される。図４によれば、バスＢＳ２には、通信Ｉ／Ｆ９０ｃｍ，ＣＰＵ９０ｐｒ，キーボード／マウス９０ｋｍ，ＨＤＤ９０ｈｄ，メインモニタ９０ｍｔ１，サブモニタ９０ｍｔ２およびＤＲＡＭ９０ｍｍが接続される。院内ＬＡＮ１００とは、通信Ｉ／Ｆ９０ｃｍを介して接続される。
【００３６】
検像技師用のクライアント端末８０に設けられたＣＰＵ８０ｐｒは、図１１〜図１２に示すフロー図に従う処理を実行する。なお、これらのフロー図に対応する制御プログラム（検像支援プログラム）は、ＨＤＤ８０ｈｄに保存される。
【００３７】
図１１を参照して、ステップＳ１では、基本画面をＤＲＡＭ８０ｍｍのメインモニタエリア８０１に展開する。展開された基本画面はメインモニタ８０ｍｔ１によって読み出され、図５に示す要領で表示される。図５を参照して、基本画面は、上段に配された見出し表示欄ＩＤＸ１と、下段に配された画像表示欄ＩＭＧ１とを有する。
【００３８】
このうち、見出し表示欄ＩＤＸ１には、ファイル情報，患者情報，検査コードなどが各々に記載された複数の検査画像リストの見出しが表示される。また、画像表示欄ＩＭＧ１には、複数の見出し画像が並べて表示される。表示された複数の見出し画像は、見出し表示欄ＩＤＸ１上の所望の見出しが示す検査で得られた複数の医用画像にそれぞれ対応する。なお、ステップＳ１が実行された時点では、画像表示欄ＩＭＧ１は空欄とされる。
【００３９】
図１１に戻って、ステップＳ３ではキーボード／マウス８０ｋｍによって見出し選択操作（＝見出し表示欄ＩＤＸ１上の所望の見出しをクリックする操作）が行われたか否かを判別し、ステップＳ５ではキーボード／マウス８０ｋｍによって他の操作が行われたか否かを判別する。
【００４０】
ステップＳ３の判別結果およびステップＳ５の判別結果のいずれもがＮＯであればステップＳ３に戻り、ステップＳ５の判別結果がＹＥＳであれば他の処理に進み、ステップＳ３の判別結果がＹＥＳであればステップＳ７に進む。
【００４１】
ステップＳ７では、見出し選択操作によって選択された見出しに対応する検査画像リストを特定し、特定した検査画像リストが示す検査によって作成されたＤＩＣＯＭファイルを院内ＬＡＮ１００を通してＲＩＳ／検像サーバ４０から取得する。ステップＳ９では、取得したＤＩＣＯＭファイル内の複数の医用画像にそれぞれ対応する複数の見出し画像を作成し、作成した複数の見出し画像をＤＲＡＭ８０ｍｍのメインモニタエリア８０１に展開する。この結果、複数の見出し画像が画像表示欄ＩＭＧ１に表示される。
【００４２】
ステップＳ１１では、ステップＳ７で取得したＤＩＣＯＭファイル内の複数の医用画像を含む検像画面をＤＲＡＭ８０ｍｍのサブモニタエリア８０２に展開する。展開された検像画面はサブモニタ８０ｍｔ２によって読み出され、図６に示す要領で表示される。図６によれば、検像画面はマトリクス状に配された複数の子画面を有し、複数の医用画像は複数の子画面にそれぞれ表示される。
【００４３】
ただし、検査部位を表す断層画像の位置は、撮影時の患者の位置によって医用画像の中心位置からずれる。同様に、検査部位を表す断層画像の角度は、撮影時の患者の姿勢によって時計回り方向または反時計回り方向に回転する。つまり、断層画像の位置および角度には、撮影時の患者の位置および姿勢によってオフセットが生じる場合がある。
【００４４】
図１１に戻って、ステップＳ１３ではキーボード／マウス８０ｋｍによって回転操作が行われたか否かを判別し、判別結果がＮＯであればそのままステップＳ１７に進む一方、判別結果がＹＥＳであればステップＳ１５で以下の処理を実行してからステップＳ１７に進む。
【００４５】
つまり、ステップＳ１５では、検像画面上の複数の断層画像を一括して所望の角度に回転させ、併せて画像表示欄ＩＭＧ１上の複数の見出し画像を一括して所望の角度に回転させる。
【００４６】
ステップＳ１７ではキーボード／マウス８０ｋｍによって移動操作が行われたか否かを判別し、判別結果がＮＯであればそのままステップＳ２１に進む一方、判別結果がＹＥＳであればステップＳ１９で以下の処理を実行してからステップＳ２１に進む。
【００４７】
つまり、ステップＳ１９では、検像画面に表示された複数の断層画像を一括して所望の位置に移動させ、併せて画像表示欄ＩＭＧ１に表示された複数の見出し画像を一括して所望の位置に移動させる。
【００４８】
したがって、図６に示す検像画面上で回転操作が行われた場合、複数の断層画像は図７に示すように回転される。また、図８に示す検像画面上で移動操作が行われた場合、複数の断層画像は図９に示すように移動される。さらに、このような回転処理および移動処理が実行された結果、見出し表示欄ＩＭＧ１の表示は、図１０に示すように更新される。
【００４９】
図１２に戻って、ステップＳ２１では、キーボード／マウス８０ｋｍによって検像完了操作が行われたか否かを判別する。また、ステップＳ２３では、キーボード／マウス８０ｋｍによって他の操作が行われたか否かを判別する。ステップＳ２１の判別結果およびステップＳ２３の判別結果のいずれもがＮＯであればステップＳ１３に戻り、ステップＳ２３の判別結果がＹＥＳであれば他の処理に進み、ステップＳ２１の判別結果がＹＥＳであればステップＳ２５に進む。
【００５０】
ステップＳ２５では、回転操作に従う回転角度と移動操作に従う移動量（水平方向および垂直方向の各々の移動量）とが記載されたオフセット校正情報を作成し、作成したオフセット校正情報をステップＳ７で取得したＤＩＣＯＭファイルに追記する（図３（Ｂ）参照）。オフセット校正情報は、こうして校正対象の医用画像に割り当てられる。
【００５１】
なお、回転操作が行われることなく「検像完了」ボタンがクリックされた場合、オフセット校正情報に記載された回転角度は“０°”を示す。同様に、移動操作が行われることなく「検像完了」ボタンがクリックされた場合、オフセット校正情報に記載された移動量は水平方向および垂直方向のいずれにおいても“０ｐｉｘ”を示す。
【００５２】
ステップＳ２７では、こうしてオフセット校正情報が追記されたＤＩＣＯＭファイルを院内ＬＡＮ１００を通してＰＡＣＳ７０に保存する。保存が完了すると、ステップＳ３に戻る。
【００５３】
読影医用のクライアント端末９０に設けられたＣＰＵ９０ｐｒは、図１７〜図１９に示すフロー図に従う処理を実行する。なお、これらのフロー図に対応する制御プログラム（医療診断支援プログラム）は、ＨＤＤ９０ｈｄに保存される。
【００５４】
図１７を参照して、ステップＳ３１では、ＤＲＡＭ９０ｍｍに形成されたメインモニタエリア９０１に基本画面を展開する。展開された基本画面はメインモニタ９０ｍｔ１によって読み出され、図１３に示す要領で表示される。
【００５５】
図１３によれば、基本画面は、複数の検査画像リストをそれぞれ表す複数の見出しが列挙された見出し表示欄ＩＤＸ２を有する。また、図１３に示す基本画面においては、いずれのカラムに対応する読影レポートも“保留”とされる。
【００５６】
ステップＳ３３では、キーボード／マウス９０ｋｍによって見出し選択操作（＝見出し表示欄ＩＤＸ２上の所望の見出しを選択する操作）が行われたか否かを判別する。また、ステップＳ３５では、キーボード／マウス９０ｋｍによって他の操作が行われたか否かを判別する。
【００５７】
ステップＳ３３の判別結果およびステップＳ３５の判別結果のいずれもがＮＯであればステップＳ３３に戻り、ステップＳ３５の判別結果がＹＥＳであれば他の処理に進み、ステップＳ３３の判別結果がＹＥＳであればステップＳ３７に進む。
【００５８】
ステップＳ３７では、見出し選択操作によって選択された見出しに対応する読影レポート画面を、ＤＲＡＭ９０ｍｍに形成されたメインモニタエリア９０１に展開する。メインモニタエリア９０１上の基本画面は、読影レポート画面によって更新される。
【００５９】
更新された読影レポート画面はメインモニタ９０ｍｔ１によって読み出され、図１４に示す要領で表示される。図１４によれば、読影レポート画面には、所見欄ＲＭＫ，診断欄ＤＧＮ，依頼コメント欄ＲＥＱおよび添付画像欄ＩＭＧが設けられる。このうち、依頼コメント欄ＲＥＱには、主治医によって記載された文字列が表示される。
【００６０】
ステップＳ３９では、見出し選択操作によって選択された見出しに対応する検査画像リストを特定し、特定した検査画像リストが示す検査によって作成されたＤＩＣＯＭファイルを院内ＬＡＮ１００を通してＰＡＣＳ７０から取得する。
【００６１】
ステップＳ４１では、取得したＤＩＣＯＭファイル内の複数の医用画像を含む読影画面を、ＤＲＡＭ９０ｍｍに形成されたサブモニタエリア９０２に展開する。ステップＳ４３では、展開された読影画面を構成する医用画像の画素値を測定して、ＲＯＩ情報（支援情報）を作成する。ここで、ＲＯＩ情報は、関心領域を囲むサークル（ガイド画像の一部）と、サークルから引き出された引き出し線（ガイド画像の他の一部）と、関心領域に属する複数の画素値の測定結果を表す文字列（ガイド画像の他の一部）とによって構成される。
【００６２】
ステップＳ４５では、作成したＲＯＩ情報をサブモニタエリア９０２上の読影画面に多重する。こうして展開された読影画面およびＲＯＩ情報は、サブモニタ９０ｍｔ２によって読み出され、図１５に示す要領で表示される。
【００６３】
ステップＳ４７では、ステップＳ３９で取得されたＤＩＣＯＭファイルからオフセット校正情報を抽出する。ステップＳ４９では、抽出されたオフセット校正情報に記載された回転角度または移動量が有意な値（＝０と異なる値）を示すか否かを判別し、判別結果がＮＯであればそのままステップＳ５５に進む一方、判別結果がＹＥＳであればステップＳ５１およびＳ５３で以下の処理を実行してからステップＳ５５に進む。
【００６４】
つまり、ステップＳ５１では、ステップＳ４１で展開された読影画面を構成する複数の医用画像をオフセット校正情報に従って一括で校正する。各々の医用画像に現れた断層画像は、オフセット校正情報に記載された回転角度に従って回転され、オフセット校正情報に記載された移動量に従って移動される。
【００６５】
ステップＳ５３では、ステップＳ４５で多重されたＲＯＩ情報を構成するサークル，引き出し線および文字列をオフセット校正情報に従って校正する。このとき、サークル，引き出し線および文字列の位置は、オフセット校正情報に記載された回転角度および移動量に従って変更される。ただし、サークル，引き出し線および文字列の角度については、オフセット校正情報に記載された回転角度に関係なく、元の角度を維持する。
【００６６】
ステップＳ５５では、キーボード／マウス９０ｋｍによって所見／診断入力操作が行われたか否かを判別し、判別結果がＮＯであればそのままステップＳ５９に進む一方、判別結果がＹＥＳであればステップＳ５７で以下の処理を実行してからステップＳ５９に進む。
【００６７】
つまり、ステップＳ５７では、ＤＲＡＭ９０ｍｍのメインモニタエリア９０１に展開された読影レポート画面上の所見欄ＲＭＫまたは診断欄ＤＧＮに、所望の文字列を描画する。描画された文字列は、図１６に示す要領でメインモニタ９０ｍｔ１の表示に反映される。
【００６８】
ステップＳ５９では、キーボード／マウス９０ｋｍによって画像添付操作（＝サブモニタ９０ｍｔ２上の所望の医用画像に対するドラッグ＆ドロップ操作）が行われたか否かを判別し、判別結果がＮＯであればそのままステップＳ６５に進む一方、判別結果がＹＥＳであればステップＳ６１およびＳ６３で以下の処理を実行してからステップＳ６５に進む。
【００６９】
つまり、ステップＳ６１では、所望の医用画像に対応するサムネイル画像を作成する。また、ステップＳ６３では、作成されたサムネイル画像をメインモニタエリア９０１に展開された読影レポート画面上の添付画像欄ＩＭＧに多重する。多重されたサムネイル画像は、図１６に示す要領でメインモニタ９０ｍｔ１の表示に反映される。
【００７０】
ステップＳ６５では、読影レポート画面上の「確定」ボタンがキーボード／マウス９０ｋｍによってクリックされたか否かを判別する。また、ステップＳ６７では、キーボード／マウス９０ｋｍによって他の操作が行われたか否かを判別する。
【００７１】
ステップＳ６５の判別結果およびステップＳ６７の判別結果のいずれもがＮＯであれば、ステップＳ５５に戻り、ステップＳ６７の判別結果がＹＥＳであれば他の処理に進み、ステップＳ６５の判別結果がＹＥＳであればステップＳ６９で確定処理を行ってからステップＳ３１に戻る。
【００７２】
以上の説明から分かるように、医療診断支援システムは、モダリティ６０から出力された医用画像を対象とする検像作業を支援するクライアント端末８０と、検像作業を経た医用画像を対象とする診断を支援するクライアント端末９０とを備える。
【００７３】
クライアント端末８０に設けられたＣＰＵ８０ｐｒは、検像作業が終了すると、医用画像が収められたＤＩＣＯＭファイルにオフセット校正情報を追記し(S25)、その後にＤＩＣＯＭファイルをＰＡＣＳ７０に保存する(S27)。これによって、オフセット校正情報が医用画像に割り当てられる。
【００７４】
クライアント端末９０に設けられたＣＰＵ９０ｐｒは、ＰＡＣＳ７０からＤＩＣＯＭファイルを取得し(S39)、取得したＤＩＣＯＭファイルに収められた医用画像の画素値を測定してＲＯＩ情報を作成する(S43)。ＣＰＵ９０ｐｒはまた、取得したＤＩＣＯＭファイル内の医用画像を同じＤＩＣＯＭファイル内のオフセット校正情報に従って校正し、校正後の医用画像をサブモニタ９０ｍｔ２に表示する(S41, S51)。ＲＯＩ情報は、表示された医用画像に多重される(S45, S53)。
【００７５】
このように、ＲＯＩ情報は、オフセット校正を施される前の医用画像の画素値を測定して作成され、オフセット校正が施された後の医用画像の表示に関連して表示される。この結果、オフセット校正に起因する画素値のずれがＲＯＩ情報に反映されて医師の的確な画像診断が妨げられる懸念を軽減することができる。
【００７６】
なお、この実施例では、検像画面が表示されている状態で回転操作または移動操作が行われたときに検像画面上の複数の断層画像を一括して回転または移動させるようにしている。しかし、複数の断層画像は個別に回転または移動させるようにしてもよい。この場合、回転操作または移動操作に先立って所望の断層画像を選択する操作が必要になる。
【符号の説明】
【００７７】
６０  …モダリティ
７０  …ＰＡＣＳ
８０  …クライアント端末（検像技師用）
９０  …クライアント端末（読影医用）
８０ｐｒ，９０ｐｒ  …ＣＰＵ
８０ｋｍ，９０ｋｍ  …キーボード／マウス
８０ｍｔ１，９０ｍｔ１  …メインモニタ
８０ｍｔ２，９０ｍｔ２  …サブモニタ
【図１】
2019000444.tif 000003
【図２】
2019000444.tif 000004
【図３】
2019000444.tif 000005
【図４】
2019000444.tif 000006
【図５】
2019000444.tif 000007
【図６】
2019000444.tif 000008
【図７】
2019000444.tif 000009
【図８】
2019000444.tif 000010
【図９】
2019000444.tif 000011
【図１０】
2019000444.tif 000012
【図１１】
2019000444.tif 000013
【図１２】
2019000444.tif 000014
【図１３】
2019000444.tif 000015
【図１４】
2019000444.tif 000016
【図１５】
2019000444.tif 000017
【図１６】
2019000444.tif 000018
【図１７】
2019000444.tif 000019
【図１８】
2019000444.tif 000020
【図１９】
2019000444.tif 000021